(57)【要約】【課題】効率的に上りリンクの伝送を行うことができる。【解決手段】端末装置の能力情報および／またはＰＵＳＣＨを送信する送信部を備え、前記ＰＵＳＣＨに多重されるＣＳＩ−Ｐａｒｔ２のコードレートが前記ＣＳＩ−Ｐａｒｔ２のターゲットコードレートと同じまたは低くなるまで前記ＣＳＩ−Ｐａｒｔ２のドロッピングを行い、前記ＣＳＩ−Ｐａｒｔ２のコードレートを前記端末装置の能力情報においてサポートされる小数点以下の計算能力に基づいて決定する。【選択図】図４
2020025217.tif 000002
【特許請求の範囲】
【請求項１】
端末装置の能力情報および／またはＰＵＳＣＨを送信する送信部を備え、
前記ＰＵＳＣＨに多重されるＣＳＩ−Ｐａｒｔ２のコードレートが前記ＣＳＩ−Ｐａｒｔ２のターゲットコードレートと同じまたは低くなるまで前記ＣＳＩ−Ｐａｒｔ２のドロッピングを行い、
前記ＣＳＩ−Ｐａｒｔ２のコードレートを前記端末装置の能力情報においてサポートされる小数点以下の計算能力に基づいて決定する
端末装置。
【請求項２】
端末装置の能力情報および／またはＰＵＳＣＨを受信する受信部を備え、
前記ＰＵＳＣＨに多重されるＣＳＩ−Ｐａｒｔ２のコードレートが前記ＣＳＩ−Ｐａｒｔ２のターゲットコードレートと同じまたは低くなるまで前記ＣＳＩ−Ｐａｒｔ２のドロッピングが行われたと想定し、
前記端末装置の能力情報に基づいて前記コードレートおよび前記ターゲットコードレートに関わる小数点以下の桁数を考慮して比較する
基地局装置。
【請求項３】
端末装置に用いられる通信方法であって、
端末装置の能力情報および／またはＰＵＳＣＨを送信するステップと、を備え、
前記ＰＵＳＣＨに多重されるＣＳＩ−Ｐａｒｔ２のコードレートが前記ＣＳＩ−Ｐａｒｔ２のターゲットコードレートと同じまたは低くなるまで前記ＣＳＩ−Ｐａｒｔ２のドロッピングを行い、
前記ＣＳＩ−Ｐａｒｔ２のコードレートを前記端末装置の能力情報においてサポートされる小数点以下の計算能力に基づいて決定する
通信方法。
【請求項４】
基地局装置に用いられる通信方法であって、
端末装置の能力情報および／またはＰＵＳＣＨを受信するステップと、を備え、
前記ＰＵＳＣＨに多重されるＣＳＩ−Ｐａｒｔ２のコードレートが前記ＣＳＩ−Ｐａｒｔ２のターゲットコードレートと同じまたは低くなるまで前記ＣＳＩ−Ｐａｒｔ２のドロッピングが行われたと想定し、
前記端末装置の能力情報に基づいて前記コードレートおよび前記ターゲットコードレートに関わる小数点以下の桁数を考慮して比較する
通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE：登録商標）」、または、「Evolved Universal Terrestrial Radio Access : EUTRA」と称する。）が、第三世代パートナーシッププロジェクト（3rd Generation Partnership Project: 3GPP）において検討されている。また、３ＧＰＰにおいて、新た
な無線アクセス方式（以下、「New Radio（NR）」と称する。）が検討されている（非特
許文献１、２、３、４）。ＬＴＥでは、基地局装置をｅＮｏｄｅＢ（evolved NodeB）と
も称する。ＮＲでは、基地局装置をｇＮｏｄｅＢとも称する。ＬＴＥ、および、ＮＲでは、端末装置をＵＥ（User Equipment）とも称する。ＬＴＥ、および、ＮＲは、基地局装置がカバーするエリアをセル状に複数配置するセルラー通信システムである。単一の基地局装置は複数のセルを管理してもよい。
【０００３】
ＮＲにおいて、１つのサービングセルに対して下りリンクＢＷＰ（bandwidth part）と上りリンクＢＷＰのセットが設定される（非特許文献３）。端末装置は、下りリンクＢＷＰにおいてＰＤＣＣＨとＰＤＳＣＨを受信する。
【先行技術文献】
【非特許文献】
【０００４】
【非特許文献１】"3GPP TS 38.211 V15.1.0 (2018-06),NR; Physical channels and modulation", R1-1807955, 6th June, 2018.
【非特許文献２】"3GPP TS 38.212 V15.1.1 (2018-05), NR; Multiplexing and channel coding", R1-1807956, 29th May, 2018.
【非特許文献３】"3GPP TS 38.213 V15.1.0 (2018-05), NR; Physical layer procedures for control", R1-1807957, 31st May, 2018.
【非特許文献４】"3GPP TS 38.214 V15.1.0 (2018-06), NR; Physical layer procedures for data", R1-1807958, 6th June, 2018.
【発明の概要】
【発明が解決しようとする課題】
【０００５】
本発明は、効率的に通信を行う端末装置、該端末装置に用いられる通信方法、効率的に通信を行う基地局装置、該基地局装置に用いられる通信方法を提供する。
【課題を解決するための手段】
【０００６】
（１）本発明の第１の態様は、端末装置であって、端末装置の能力情報および／またはＰＵＳＣＨを送信する送信部を備え、前記ＰＵＳＣＨに多重されるＣＳＩ−Ｐａｒｔ２のコードレートが前記ＣＳＩ−Ｐａｒｔ２のターゲットコードレートと同じまたは低くなるまで前記ＣＳＩ−Ｐａｒｔ２のドロッピングを行い、前記ＣＳＩ−Ｐａｒｔ２のコードレートを前記端末装置の能力情報においてサポートされる小数点以下の計算能力に基づいて決定する。
【０００７】
（２）本発明の第２の態様は、基地局装置であって、端末装置の能力情報および／またはＰＵＳＣＨを受信する受信部を備え、前記ＰＵＳＣＨに多重されるＣＳＩ−Ｐａｒｔ２のコードレートが前記ＣＳＩ−Ｐａｒｔ２のターゲットコードレートと同じまたは低くなるまで前記ＣＳＩ−Ｐａｒｔ２のドロッピングが行われたと想定し、前記端末装置の能力
情報に基づいて前記コードレートおよび前記ターゲットコードレートに関わる小数点以下の桁数を考慮して比較する。
【０００８】
（３）本発明の第３の態様は、端末装置に用いられる通信方法であって、端末装置の能力情報および／またはＰＵＳＣＨを送信するステップと、を備え、前記ＰＵＳＣＨに多重されるＣＳＩ−Ｐａｒｔ２のコードレートが前記ＣＳＩ−Ｐａｒｔ２のターゲットコードレートと同じまたは低くなるまで前記ＣＳＩ−Ｐａｒｔ２のドロッピングを行い、前記ＣＳＩ−Ｐａｒｔ２のコードレートを前記端末装置の能力情報においてサポートされる小数点以下の計算能力に基づいて決定する。
【０００９】
（４）本発明の第４の態様は、基地局装置に用いられる通信方法であって、端末装置の能力情報および／またはＰＵＳＣＨを受信するステップと、を備え、前記ＰＵＳＣＨに多重されるＣＳＩ−Ｐａｒｔ２のコードレートが前記ＣＳＩ−Ｐａｒｔ２のターゲットコードレートと同じまたは低くなるまで前記ＣＳＩ−Ｐａｒｔ２のドロッピングが行われたと想定し、前記端末装置の能力情報に基づいて前記コードレートおよび前記ターゲットコードレートに関わる小数点以下の桁数を考慮して比較する。
【発明の効果】
【００１０】
この発明によれば、端末装置は効率的に通信を行うことができる。また、基地局装置は効率的に通信を行うことができる。
【図面の簡単な説明】
【００１１】
【図１】本実施形態の無線通信システムの概念図である。
【図２】本実施形態の無線フレームの概略構成を示す図である。
【図３】本実施形態における上りリンクスロットの概略構成を示す図である。
【図４】本実施形態の端末装置１の構成を示す概略ブロック図である。
【図５】本実施形態の基地局装置３の構成を示す概略ブロック図である。
【図６】本実施形態におけるＵＬ−ＳＣＨを伴わないＰＵＳＣＨで送信されるＵＣＩペイロードの符号化変調シンボルの数を導出するフローチャートを示す図である。
【図７】本実施形態における端末装置１と基地局装置３の小数点計算能力の一例を示した図である。
【図８】本実施形態におけるＤＣＩフォーマットに少なくとも基づいて与えられるＣｍｃｓの候補の一例を示す図である。
【発明を実施するための形態】
【００１２】
以下、本発明の実施形態について説明する。
【００１３】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１４】
本実施形態の物理チャネルおよび物理シグナルについて説明する。
【００１５】
端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００１６】
ＰＵＣＣＨは、端末装置１が上りリンク制御情報（Uplink Control Information: UCI
）を基地局装置３へ送信するために用いられる。なお、本実施形態において、端末装置１は、プライマリセル、および／または、プライマリセルの機能を有するセカンダリセル、および／または、ＰＵＣＣＨの送信が可能なセカンダリセルにおいてＰＵＣＣＨの送信を行ってもよい。つまり、ＰＵＣＣＨは、特定のサービングセルにおいて送信されてもよい。
【００１７】
上りリンク制御情報は、下りリンクのチャネル状態情報（Channel State Information:
CSI）、ＰＵＳＣＨリソースの要求を示すスケジューリング要求（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement
）のうち、少なくとも１つを含む。
【００１８】
下りリンクデータが成功裏に復号された場合、該下りリンクデータに対するＡＣＫが生成される。下りリンクデータが成功裏に復号されなかった場合、該下りリンクデータに対するＮＡＣＫが生成される。ＤＴＸ（ｄｉｓｃｏｎｔｉｎｕｏｕｓ  ｔｒａｎｓｍｉｓｓｉｏｎ）は、下りリンクデータを検出しなかったことを意味してもよい。ＤＴＸは、ＨＡＲＱ−ＡＣＫ応答を送信するべきデータを検出しなかったことを意味してもよい。ＨＡＲＱ−ＡＣＫは、１つのトランスポートブロックに少なくとも対応するＨＡＲＱ−ＡＣＫビットを少なくとも含んでもよい。ＨＡＲＱ−ＡＣＫビットは、１つ、または、複数のトランスポートブロックに対応するＡＣＫ（ＡＣＫｎｏｗｌｅｄｇｅｍｅｎｔ）または、ＮＡＣＫ（Ｎｅｇａｔｉｖｅ−ＡＣＫｎｏｗｌｅｄｇｅｍｅｎｔ）を示してもよい。ＨＡＲＱ−ＡＣＫは、１つまたは複数のＨＡＲＱ−ＡＣＫビットを含むＨＡＲＱ−ＡＣＫコードブックを少なくとも含んでもよい。ＨＡＲＱ−ＡＣＫビットが１つ、または、複数のトランスポートブロックに対応することは、ＨＡＲＱ−ＡＣＫビットが該１または複数のトランスポートブロックを含むＰＤＳＣＨに対応することであってもよい。
【００１９】
ＨＡＲＱ−ＡＣＫを、ＡＣＫ／ＮＡＣＫ、ＨＡＲＱフィードバック、ＨＡＲＱ−ＡＣＫフィードバック、ＨＡＲＱ応答、ＨＡＲＱ−ＡＣＫ応答、ＨＡＲＱ情報、ＨＡＲＱ−ＡＣＫ情報、ＨＡＲＱ制御情報、および、ＨＡＲＱ−ＡＣＫ制御情報とも呼称されてもよい。
【００２０】
ＨＡＲＱ−ＡＣＫビットは、トランスポートブロックに含まれる１つのＣＢＧ（Ｃｏｄｅ  Ｂｌｏｃｋ  Ｇｒｏｕｐ）に対応するＡＣＫまたはＮＡＣＫを示してもよい。
【００２１】
チャネル状態情報（ＣＳＩ：Ｃｈａｎｎｅｌ  Ｓｔａｔｅ  Ｉｎｆｏｒｍａｔｉｏｎ）は、チャネル品質指標（ＣＱＩ：Ｃｈａｎｎｅｌ  Ｑｕａｌｉｔｙ  Ｉｎｄｉｃａｔｏｒ）とランク指標（ＲＩ：Ｒａｎｋ  Ｉｎｄｉｃａｔｏｒ）を含んでもよい。チャネル品質指標は、プレコーダ行列指標（ＰＭＩ：Ｐｒｅｃｏｄｅｒ  Ｍａｔｒｉｘ  Ｉｎｄｉｃａｔｏｒ）、ＣＳＩ−ＲＳ指標（ＣＲＩ：ＣＳＩ−ＲＳ  Ｒｅｓｏｕｒｃｅ  ｉｎｄｉｃａｔｏｒ）を含んでもよい。チャネル状態情報はプレコーダ行列指標を含んでもよい。ＣＱＩは、チャネル品質（伝搬強度）に関連する指標であり、ＰＭＩは、プレコーダを指示する指標である。ＲＩは、送信ランク（または、送信レイヤー数）を指示する指標である。ＣＳＩはＣＳＩレポート、ＣＳＩ情報とも呼称されてもよい。送信レイヤーをレイヤーと呼称してもよい。
【００２２】
ＣＳＩレポートは１つまたは複数に分割されてもよい。例えば、ＣＳＩレポートが２つに分割される場合、分割された第１のＣＳＩレポートはＣＳＩ―Ｐａｒｔ１、分割された第２のＣＳＩレポートはＣＳＩ―Ｐａｒｔ２であってもよい。ＣＳＩレポートのサイズは分割されたＣＳＩのうちの一部または全部のビット数であってもよい。ＣＳＩレポートの
サイズはＣＳＩ―Ｐａｒｔ１のビット数であってもよい。ＣＳＩレポートのサイズはＣＳＩ―Ｐａｒｔ２のビット数であってもよい。ＣＳＩレポートのサイズは分割された複数のＣＳＩレポートのビット数の総和であってもよい。分割された複数のＣＳＩのビット数の総和は、分割される前のＣＳＩレポートのビット数である。ＣＳＩ−Ｐａｒｔ１は少なくともＲＩ、ＣＲＩ、ＣＱＩ、ＰＭＩの何れかの一部または全部を含んでもよい。ＣＳＩ−Ｐａｒｔ２はＰＭＩ、ＣＱＩ、ＲＩ、ＣＲＩの何れかの一部または全部を含んでもよい。ＣＳＩレポートのサイズは、所定の閾値（所定のビット数）を超えないように設定されてもよい。
【００２３】
スケジューリングリクエスト（ＳＲ：Ｓｃｈｅｄｕｌｉｎｇ  Ｒｅｑｕｅｓｔ）は、初期送信のためのＰＵＳＣＨのリソースを要求するために少なくとも用いられてもよい。スケジューリングリクエストビットは、正のＳＲ（ｐｏｓｉｔｉｖｅ  ＳＲ）または、負のＳＲ（ｎｅｇａｔｉｖｅ  ＳＲ）のいずれかを示すために用いられてもよい。スケジューリングリクエストビットが正のＳＲを示すことは、“正のＳＲが送信される”とも呼称される。正のＳＲは、端末装置１によって初期送信のためのＰＵＳＣＨのリソースが要求されることを示してもよい。正のＳＲは、上位層によりスケジューリングリクエストがトリガーされることを示してもよい。正のＳＲは、上位層によりスケジューリングリクエストを送信することが指示された場合に、送信されてもよい。スケジューリングリクエストビットが負のＳＲを示すことは、“負のＳＲが送信される”とも呼称される。負のＳＲは、端末装置１によって初期送信のためのＰＵＳＣＨのリソースが要求されないことを示してもよい。負のＳＲは、上位層によりスケジューリングリクエストがトリガーされないことを示してもよい。負のＳＲは、上位層によりスケジューリングリクエストを送信することが指示されない場合に、送信されてもよい。
【００２４】
スケジューリングリクエストビットは、１つまたは複数のＳＲ設定（ＳＲ  ｃｏｎｆｉｇｕｒａｔｉｏｎ）のいずれかに対する正のＳＲ、または、負のＳＲのいずれかを示すために用いられてもよい。該１つまたは複数のＳＲ設定のそれぞれは、１つまたは複数のロジカルチャネルに対応してもよい。あるＳＲ設定に対する正のＳＲは、該あるＳＲ設定に対応する１または複数のロジカルチャネルのいずれかまたは全部に対する正のＳＲであってもよい。負のＳＲは、特定のＳＲ設定に対応しなくてもよい。負のＳＲが示されることは、全てのＳＲ設定に対して負のＳＲが示されることであってもよい。
【００２５】
ＳＲ設定は、スケジューリングリクエストＩＤ（Ｓｃｈｅｄｕｌｉｎｇ  Ｒｅｑｕｅｓｔ  ＩＤ）であってもよい。
【００２６】
ＰＵＳＣＨは、上りリンクデータを送信するために用いられてもよい。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫ、および／または、チャネル状態情報のみを送信するために用いられてもよい。つまり、ＰＵＳＣＨは、上りリンク制御情報を送信するために用いられてもよい。端末装置１は、上りリンクグラント（Ｕｐｌｉｎｋ  Ｇｒａｎｔ）を含むＰＤＣＣＨ（Ｐｈｙｓｉｃａｌ  Ｄｏｗｎｌｉｎｋ  Ｃｏｎｔｒｏｌ  ＣＨａｎｎｅｌ）の検出に基づいてＰＵＳＣＨを送信してもよい。上りリンクデータは、トランスポートブロック（Ｔｒａｎｓｐｏｒｔ  ｂｌｏｃｋ）、媒体アクセス制御プロトコルデータユニット（ＭＡＣ  ＰＤＵ：Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ）、ＵＬ−ＳＣＨ（ＵｐＬｉｎｋ−Ｓｈａｒｅｄ  ＣＨａｎｎｅｌ）の一部または全部を少なくとも含んでもよい。
【００２７】
ＰＲＡＣＨは、ランダムアクセスプリアンブル（ランダムアクセスメッセージ１）を送信するために用いられる。ＰＲＡＣＨは、初期コネクション確立（ｉｎｉｔｉａｌ  ｃｏ
ｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンクデータの送信に対する同期（タイミング調整）、およびＰＵＳＣＨ（ＵＬ−ＳＣＨ）リソースの要求の少なくとも一部を示すために用いられてもよい。
【００２８】
端末装置１から基地局装置３への上りリンクの無線通信では、以下の上りリンク物理シグナルが用いられてもよい。上りリンク物理シグナルは、上位層から出力された情報を送信するために使用されなくてもよいが、物理層によって使用される。
・上りリンク参照信号（ＵＬ  ＲＳ：Ｕｐｌｉｎｋ  Ｒｅｆｅｒｅｎｃｅ  Ｓｉｇｎａｌ）
【００２９】
本実施形態において、少なくとも以下の２つのタイプの上りリンク参照信号が少なくとも用いられてもよい。
・ＤＭＲＳ（ＤｅＭｏｄｕｌａｔｉｏｎ  Ｒｅｆｅｒｅｎｃｅ  Ｓｉｇｎａｌ）
・ＳＲＳ（Ｓｏｕｎｄｉｎｇ  Ｒｅｆｅｒｅｎｃｅ  Ｓｉｇｎａｌ）
【００３０】
ＤＭＲＳは、ＰＵＳＣＨ、および／または、ＰＵＣＣＨの送信に関連する。ＤＭＲＳは、ＰＵＳＣＨまたはＰＵＣＣＨと多重されてもよい。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。該ＤＭＲＳは該ＰＵＳＣＨに対応してもよい。以下、ＰＵＣＣＨとＤＭＲＳを共に送信することを、単にＰＵＣＣＨを送信すると称する。該ＤＭＲＳは該ＰＵＣＣＨに対応してもよい。
【００３１】
ＳＲＳは、ＰＵＳＣＨ、および／または、ＰＵＣＣＨの送信に関連しなくてもよい。ＳＲＳは、ＰＵＳＣＨ、および／または、ＰＵＣＣＨの送信に関連してもよい。基地局装置３は、チャネル状態の測定のためにＳＲＳを用いてもよい。ＳＲＳは、上りリンクスロットにおける最後から１つまたは複数の所定数のＯＦＤＭシンボルにおいて送信されてもよい。
【００３２】
基地局装置３から端末装置１への下りリンクの無線通信では、以下の下りリンク物理チャネルが用いられてもよい。下りリンク物理チャネルは、上位層から出力された情報を送信するために、物理層によって使用されてもよい。
・ＰＢＣＨ（Ｐｈｙｓｉｃａｌ  Ｂｒｏａｄｃａｓｔ  ＣＨａｎｎｅｌ）
・ＰＤＣＣＨ（Ｐｈｙｓｉｃａｌ  Ｄｏｗｎｌｉｎｋ  Ｃｏｎｔｒｏｌ  ＣＨａｎｎｅｌ）
・ＰＤＳＣＨ（Ｐｈｙｓｉｃａｌ  Ｄｏｗｎｌｉｎｋ  Ｓｈａｒｅｄ  ＣＨａｎｎｅｌ）
【００３３】
ＰＢＣＨは、サービングセル内またはアクティブＢＷＰ（Ｂａｎｄｗｉｄｔｈ  Ｐａｒｔ）内またはキャリア内の、１つまたは複数の端末装置１において共通に用いられるマスターインフォメーションブロック（ＭＩＢ：Ｍａｓｔｅｒ  Ｉｎｆｏｒｍａｔｉｏｎ  Ｂｌｏｃｋ）を報知するために用いられる。ＰＢＣＨは、所定の送信間隔に基づき送信されてもよい。例えば、ＰＢＣＨは、８０ｍｓの間隔で送信されてもよい。ＰＢＣＨに含まれる情報の少なくとも一部は、８０ｍｓごとに更新されてもよい。ＰＢＣＨは、周波数領域において、所定のサブキャリア数（例えば、２８８サブキャリア）により構成されてもよい。また、ＰＢＣＨは、時間領域において、２、３、または、４ＯＦＤＭシンボルを含んで構成されてもよい。ＭＩＢは、同期信号の識別子（インデックス）に関連する情報を含んでもよい。ＭＩＢは、ＰＢＣＨが送信されるスロットの番号、サブフレームの番号、および、無線フレームの番号の少なくとも一部を指示する情報を含んでもよい。第１の設定情報はＭＩＢに含まれてもよい。該第１の設定情報は、ランダムアクセスメッセージ２、
ランダムアクセスメッセージ３、ランダムアクセスメッセージ４の一部または全部に少なくとも用いられる設定情報であってもよい。
【００３４】
ＰＤＣＣＨは、下りリンク制御情報（ＤＣＩ：Ｄｏｗｎｌｉｎｋ  Ｃｏｎｔｒｏｌ  Ｉｎｆｏｒｍａｔｉｏｎ）を送信するために用いられる。下りリンク制御情報を、ＤＣＩフォーマットとも称する。なお、ＤＣＩフォーマットは、１つまたは複数の下りリンク制御情報のフィールドを含んでも構成されてもよい。下りリンク制御情報は、上りリンクグラント（ｕｐｌｉｎｋ  ｇｒａｎｔ）または下りリンクグラント（ｄｏｗｎｌｉｎｋ  ｇｒａｎｔ）のいずれかを少なくとも含んでもよい。
【００３５】
上りリンクグラントは、単一のセル内の単一のＰＵＳＣＨのスケジューリングに用いられてもよい。上りリンクグラントは、単一のセル内の複数のスロットにおける複数のＰＵＳＣＨのスケジューリングに用いられてもよい。上りリンクグラントは、単一のセル内の複数のスロットにおける単一のＰＵＳＣＨのスケジューリングに用いられてもよい。上りリンクグラントを含む下りリンク制御情報は、上りリンクに関連するＤＣＩフォーマットとも称されてもよい。
【００３６】
１つの下りリンクグラントは、１つのサービングセル内の１つのＰＤＳＣＨのスケジューリングのために少なくとも用いられる。下りリンクグラントは、該下りリンクグラントが送信されたスロットと同じスロット内のＰＤＳＣＨのスケジューリングのために少なくとも用いられる。下りリンクグラントを含む下りリンク制御情報は、下りリンクに関連するＤＣＩフォーマットとも称されてもよい。
【００３７】
ＰＤＳＣＨは、下りリンクデータ（ＴＢ、ＭＡＣ  ＰＤＵ、ＤＬ−ＳＣＨ、ＰＤＳＣＨ、ＣＢ、ＣＢＧ）を送信するために用いられる。ＰＤＳＣＨは、ランダムアクセスメッセージ２（ランダムアクセスレスポンス）を送信するために少なくとも用いられる。ＰＤＳＣＨは、初期アクセスのために用いられるパラメータを含むシステムインフォーメーションを送信するために少なくとも用いられる。
【００３８】
上述したＢＣＨ、ＵＬ−ＳＣＨおよびＤＬ−ＳＣＨは、トランスポートチャネルである。媒体アクセス制御（ＭＡＣ：Ｍｅｄｉｕｍ  Ａｃｃｅｓｓ  Ｃｏｎｔｒｏｌ）層で用いられるチャネルはトランスポートチャネルと呼称される。ＭＡＣ層で用いられるトランスポートチャネルの単位は、トランスポートブロックまたはＭＡＣ  ＰＤＵとも呼称される。ＭＡＣ層においてトランスポートブロック毎にＨＡＲＱ（Ｈｙｂｒｉｄ  Ａｕｔｏｍａｔｉｃ  Ｒｅｐｅａｔ  ｒｅＱｕｅｓｔ）の制御が行なわれる。トランスポートブロックは、ＭＡＣ層が物理層に渡す（ｄｅｌｉｖｅｒ）データの単位である。物理層において、トランスポートブロックはコードワードにマップされ、コードワード毎に変調処理が行なわれる。
【００３９】
基地局装置３と端末装置１は、上位層（ｈｉｇｈｅｒ  ｌａｙｅｒ）において信号をやり取り（送受信）してもよい。例えば、基地局装置３と端末装置１は、無線リソース制御（ＲＲＣ：  Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：  Ｒａｄｉｏ  Ｒｅｓｏｕｒｃｅ  Ｃｏｎｔｒｏｌ
ｍｅｓｓａｇｅ、ＲＲＣ  ｉｎｆｏｒｍａｔｉｏｎ：  Ｒａｄｉｏ  Ｒｅｓｏｕｒｃｅ
Ｃｏｎｔｒｏｌ  ｉｎｆｏｒｍａｔｉｏｎとも称される）を送受信してもよい。また、基地局装置３と端末装置１は、ＭＡＣ層において、ＭＡＣ  ＣＥ（Ｍｅｄｉｕｍ  Ａｃｃｅｓｓ  Ｃｏｎｔｒｏｌ  Ｃｏｎｔｒｏｌ  Ｅｌｅｍｅｎｔ）を送受信してもよい。ここで、ＲＲＣシグナリング、および／または、ＭＡＣ  ＣＥを、上位層信号（ｈｉｇｈｅｒ
ｌａｙｅｒ  ｓｉｇｎａｌｉｎｇ）とも称する。
【００４０】
ＰＵＳＣＨ、および／または、ＰＤＳＣＨは、ＲＲＣシグナリング、および、ＭＡＣ  ＣＥを送信するために少なくとも用いられる。ここで、基地局装置３からＰＤＳＣＨで送信されるＲＲＣシグナリングは、セル内における複数の端末装置１に対して共通のＲＲＣシグナリングであってもよい。セル内における複数の端末装置１に対して共通のＲＲＣシグナリングは、共通ＲＲＣシグナリングとも呼称される。基地局装置３からＰＤＳＣＨで送信されるＲＲＣシグナリングは、ある端末装置１に対して専用のＲＲＣシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のＲＲＣシグナリングは、専用ＲＲＣシグナリングとも呼称される。セルスペシフィックパラメータは、セル内における複数の端末装置１に対して共通のＲＲＣシグナリング、または、ある端末装置１に対して専用のＲＲＣシグナリングを用いて送信されてもよい。ＵＥスペシフィックパラメータは、ある端末装置１に対して専用のＲＲＣシグナリングを用いて送信されてもよい。
【００４１】
以下、本実施形態の無線フレーム（radio frame）の構成について説明する。
【００４２】
図２は、本実施形態における無線フレームの概略構成を示す図である。図２において、横軸は時間軸である。無線フレームのそれぞれは、１０ms長であってもよい。また、無線フレームのそれぞれは１０のスロットから構成されてもよい。スロットのそれぞれは、１ms長であってもよい。
【００４３】
以下、本実施形態のスロットの構成の一例について説明する。図３は、本実施形態における上りリンクスロットの概略構成を示す図である。図３において、１つのセルにおける上りリンクスロットの構成を示す。図３において、横軸は時間軸であり、縦軸は周波数軸である。上りリンクスロットはＮＵＬｓｙｍｂ個のＳＣ−ＦＤＭＡシンボルを含んでもよい。上りリンクスロットはＮＵＬｓｙｍｂ個のＯＦＤＭシンボルを含んでもよい。以下、本実施形態では、上りリンクスロットがＯＦＤＭシンボルを含む場合を用いて説明をするが、上りリンクスロットがＳＣ−ＦＤＭＡシンボルを含む場合にも本実施形態を適用することはできる。
【００４４】
図３において、ｌはＯＦＤＭシンボル番号／インデックスであり、ｋはサブキャリア番号／インデックスである。スロットのそれぞれにおいて送信される物理シグナルまたは物理チャネルは、リソースグリッドによって表現される。上りリンクにおいて、リソースグリッドは複数のサブキャリアと複数のＯＦＤＭシンボルによって定義される。リソースグリッド内のエレメントのそれぞれをリソースエレメントと称する。リソースエレメントは、サブキャリア番号／インデックスｋ、および、ＯＦＤＭシンボル番号／インデックスｌによって表される。
【００４５】
上りリンクスロットは、時間領域において、複数のＯＦＤＭシンボルl（l＝０，１，・・・，ＮＵＬｓｙｍｂ−１）を含んでもよい。１つの上りリンクスロットにおいて、上りリンクにおけるノーマルＣＰ（normal Cyclic Prefix）に対して、ＮＵＬｓｙｍｂは７または１４であってもよい。上りリンクにおける拡張ＣＰ（extended Cyclic Prefix）に対して、ＮＵＬｓｙｍｂは６または１２であってもよい。
【００４６】
端末装置１は、上りリンクにおけるＣＰ長を示す上位層パラメータUL-CyclicPrefixLengthを基地局装置３から受信する。基地局装置３は、セルに対応する該上位層パラメータUL-CyclicPrefixLengthを含むシステムインフォーメーションを、該セルにおいて報知してもよい。
【００４７】
上りリンクスロットは、周波数領域において、複数のサブキャリアｋ（ｋ＝０，１，・
・・，ＮＵＬＲＢ・ＮＲＢＳＣ−１)を含んでもよい。ＮＵＬＲＢは、サービングセルに
対する上りリンク帯域幅設定であり、ＮＲＢＳＣの倍数によって表現される。ＮＲＢＳＣは、サブキャリアの数によって表現される、周波数領域における（物理）リソースブロックサイズである。サブキャリア間隔Δfは１５ｋＨｚであってもよい。ＮＲＢＳＣは１２
であってもよい。周波数領域における（物理）リソースブロックサイズは１８０ｋＨｚであってもよい。
【００４８】
１つの物理リソースブロックは、時間領域においてNＵＬｓｙｍｂの連続するＯＦＤＭ
シンボルと周波数領域においてＮＲＢＳＣの連続するサブキャリアとから定義される。ゆえに、１つの物理リソースブロックは（ＮＵＬｓｙｍｂ・ＮＲＢＳＣ）のリソースエレメントから構成される。１つの物理リソースブロックは、時間領域において１つのスロットに対応してもよい。物理リソースブロックは周波数領域において、周波数の低いほうから順に番号ｎＰＲＢ（0,1,…, NＵＬＲＢ -1）が付けられてもよい。
【００４９】
本実施形態における下りリンクのスロットは、複数のＯＦＤＭシンボルを含む。本実施形態における下りリンクのスロットの構成は上りリンクと基本的に同じであるため、下りリンクのスロットの構成の説明は省略する。
【００５０】
以下、本実施形態における装置の構成について説明する。
【００５１】
図４は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベース
バンド部１３を含んで構成される。上位層処理部１４は、媒体アクセス制御層処理部１５、および、無線リソース制御層処理部１６を含んで構成される。無線送受信部１０を送信部、受信部、符号化部、復号部、または、物理層処理部とも称する。
【００５２】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【００５３】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、ランダムアクセス手順の制御を行う。
【００５４】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【００５５】
無線送受信部１０は、変調、復調、符号化、復号化などの物理層の処理を行う。無線送受信部１０は、基地局装置３から受信した信号（物理チャネルおよび／または物理シグナル）を、分離、復調、復号し、復号した情報を上位層処理部１４に出力する。無線送受信部１０は、データを変調、符号化することによって送信信号（物理チャネルおよび／または物理シグナル）を生成し、基地局装置３に送信する。
【００５６】
ＲＦ部１２は、アンテナ部１１を介して受信した信号を、直交復調によりベースバンド信号に変換し（ダウンコンバート: down convert）、不要な周波数成分を除去する。ＲＦ部１２は、処理をしたアナログ信号をベースバンド部に出力する。
【００５７】
ベースバンド部１３は、ＲＦ部１２から入力されたアナログ信号を、アナログ信号からディジタル信号に変換する。ベースバンド部１３は、変換したディジタル信号からＣＰ（Cyclic Prefix）に相当する部分を除去し、ＣＰを除去した信号に対して高速フーリエ変
換（Fast Fourier Transform: FFT）を行い、周波数領域の信号を抽出する。
【００５８】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【００５９】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【００６０】
図５は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、符号化部、復号部、または、物理層処理部とも称する。
【００６１】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００６２】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、ランダムアクセス手順の制御を行う。
【００６３】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォーメーション、ＲＲＣメッセージ、ＭＡＣ  ＣＥなどを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層信号を介して端末装置１各々に対して各種設定情報／パラメータをセットしてもよい。すなわち、無線リソース制御層処理部３６は、各種設定情報／パラメータを示す情報を送信／報知する。
【００６４】
無線送受信部３０の機能は、無線送受信部１０と同様であるため説明を省略する。
【００６５】
端末装置１が備える符号１０から符号１６が付された部のそれぞれは、回路として構成されてもよい。基地局装置３が備える符号３０から符号３６が付された部のそれぞれは、回路として構成されてもよい。端末装置１が備える符号１０から符号１６が付された部のそれぞれは、少なくとも１つのプロセッサと前記少なくとも１つのプロセッサと連結されるメモリとして構成されてもよい。基地局装置３が備える符号３０から符号３６が付された部のそれぞれは、少なくとも１つのプロセッサと前記少なくとも１つのプロセッサと連結されるメモリとして構成されてもよい。
【００６６】
本実施形態の無線通信システムは、ＴＤＤ（Ｔｉｍｅ  Ｄｉｖｉｓｉｏｎ  Ｄｕｐｌｅｘ）および／またはＦＤＤ（Frequency Division Duplex）が適用されてもよい。セルア
グリゲーションの場合には、ＴＤＤが適用されるサービングセルとＦＤＤが適用されるサービングセルが集約されてもよい。
【００６７】
なお、上位層信号は、ＲＭＳＩ（Ｒｅｍａｉｎｉｎｇ  Ｍｉｎｉｍｕｍ  Ｓｙｓｔｅｍ
Ｉｎｆｏｒｍａｔｉｏｎ）、ＯＳＩ（Ｏｔｈｅｒ  Ｓｙｓｔｅｍ  Ｉｎｆｏｒｍａｔｉｏｎ）、ＳＩＢ（Ｓｙｓｔｅｍ  Ｉｎｆｏｒｍａｔｉｏｎ  Ｂｌｏｃｋ）、ＲＲＣメッセージ、ＭＡＣ  ＣＥのいずれかであってもよい。また、上位層パラメータ（ｈｉｇｈｅｒ
ｌａｙｅｒ  ｐａｒａｍｅｔｅｒ）は上位層信号に含まれるパラメータや情報要素を意味してもよい。
【００６８】
ＰＵＳＣＨで送信されるＵＣＩはＨＡＲＱ−ＡＣＫ、および／または、ＣＳＩを含んでもよい。
【００６９】
あるサービングセルに対して非周期的ＣＳＩレポートをトリガーするＤＣＩフォーマットのデコードを成功裏に行った場合、該サービングセルにおいて端末装置１はＰＵＳＣＨを用いて非周期的ＣＳＩレポート（ａｐｅｒｉｏｄｉｃ  ＣＳＩ  ｒｅｐｏｒｔ）を送信してもよい。ＰＵＳＣＨを用いて送信される非周期的ＣＳＩレポートは、ワイドバンド（ｗｉｄｅｂａｎｄ）、および／または、サブバンド（ｓｕｂ−ｂａｎｄ）周波数単位（ｆｒｅｑｕｅｎｃｙ  ｇｒａｎｕｌａｒｉｔｙ）をサポートしてもよい。また、ＰＵＳＣＨで送信される非周期的ＣＳＩレポートは、タイプI、および／または、タイプIIのＣＳＩ
をサポートしてもよい。
【００７０】
セミパーシステント（ｓｅｍｉ−ｐｅｒｓｉｓｔｅｎｔ）ＣＳＩトリガー（ｔｒｉｇｇｅｒ）状態を活性化するＤＣＩフォーマット０＿１のデコードを成功裏に行った場合、端末装置１はセミパーシステントＣＳＩレポートを送信してもよい。ＤＣＩフォーマット０＿１は、セミパーシステントＣＳＩトリガー状態を活性化するかどうかを指示するＣＳＩ要求フィールドを含んでもよい。ＰＵＳＣＨで送信されるセミパーシステントＣＳＩレポートは、ワイドバンド（ｗｉｄｅｂａｎｄ）、および／または、サブバンド（ｓｕｂ−ｂａｎｄ）の周波数単位（ｆｒｅｑｕｅｎｃｙ  ｇｒａｎｕｌａｒｉｔｙ）がサポートされてもよい。ＰＵＳＣＨリソース、および／または、ＭＣＳ（Ｍｏｄｕｌａｔｉｏｎ  ａｎｄ  Ｃｏｄｉｎｇ  Ｓｃｈｅｍｅ）は上りリンクＤＣＩフォーマットに準静的に（ｓｅｍｉ−ｐｅｒｓｉｓｔｅｎｔｌｙ）配置されてもよい。
【００７１】
ＰＵＳＣＨで送信されるＣＳＩレポートはＰＵＳＣＨで送信される上りリンクデータと多重（ｍｕｌｔｉｐｌｅｘ）されてもよい。また、ＰＵＳＣＨで送信されるＣＳＩレポートは、上りリンクデータが無くても送信されてもよい。すなわち、ＣＳＩレポートは、上りリンクデータをともなわないＰＵＳＣＨで送信されてもよい。ここで上りリンクデータはＵＬ−ＳＣＨであってもよい。
【００７２】
タイプIのＣＳＩレポートはＰＵＳＣＨで送信されるＣＳＩレポートによってサポート
されてもよい。また、タイプIのサブバンドＣＳＩはＰＵＳＣＨで送信されるＣＳＩレポ
ートによってサポートされてもよい。また、タイプIIのＣＳＩはＰＵＳＣＨで送信されるＣＳＩレポートによってサポートされてもよい。なお、ＣＳＩレポートは、ＣＳＩフィードバックと呼称されてもよい。ここでＣＳＩレポートによってサポートされることは、ＣＳＩレポートに含まれることを意味してもよい。ＣＳＩレポートによってサポートされることは、ＣＳＩレポートに含まれて送信されることを意味してもよい。
【００７３】
ＰＵＳＣＨで送信されるタイプI、および／または、タイプIIのＣＳＩフィードバック
において、ＣＳＩレポートは２つのパート（ＣＳＩ−Ｐａｒｔ１、ＣＳＩ−Ｐａｒｔ２）を含んでもよい。
【００７４】
ＣＳＩ−Ｐａｒｔ１は、ＣＳＩ−Ｐａｒｔ２の情報ビット数を識別することに用いられてもよい。ＣＳＩ−Ｐａｒｔ２が送信される前に、該ＣＳＩ−Ｐａｒｔ１の全体が送信されてもよい。
【００７５】
タイプIのＣＳＩフィードバックにおいて、ＣＳＩ−Ｐａｒｔ１はランクインジケータ
（ＲＩ）、および／または、ＣＲＩ、および／または、第１のコードワードのＣＱＩを含んでもよい。タイプIおよび／またはタイプIIのフィードバックにおいて、ＣＳＩ−Ｐａ
ｒｔ１は固定のペイロードサイズであってもよい。また、ＣＳＩ−Ｐａｒｔ１はＲＩ、ＣＱＩ、および／または、タイプIIのＣＳＩにおけるゼロ（０）ではないレイヤー毎のワイドバンド振幅係数の数の指標を含んでもよい。ＣＳＩ−Ｐａｒｔ１はＣＳＩ−Ｐａｒｔ２と別に符号化されてもよい。ＣＳＩ−Ｐａｒｔ２はタイプIIのＣＳＩのＰＭＩを含んでもよい。
【００７６】
ＰＵＳＣＨで送信されるタイプIIのＣＳＩレポートは、ＰＵＣＣＨフォーマット２、ＰＵＣＣＨフォーマット３、および／または、ＰＵＣＣＨフォーマット４で送信されるタイプIIのＣＳＩレポートに関係なく独立的に計算されてもよい。
【００７７】
端末装置１はＣＳＩでレポートするＣＳＩの個数を上位層パラメータＲｅｐｏｒｔＱｕａｎｔｉｔｙによって与えられてもよい。上位層パラメータＲｅｐｏｒｔＱｕａｎｔｉｔｙがＣＳＩ／ＲＳＲＰ（Ｒｅｆｅｒｅｎｃｅ  Ｓｉｇｎａｌ  Ｒｅｃｅｉｖｅｄ  Ｐｏｗｅｒ）、および／または、ＳＳＢＲＩ（ＳＳ／ＰＢＣＨ  Ｂｌｏｃｋ  Ｒｅｓｏｕｒｃｅ
Ｉｎｄｉｃａｔｏｒ）／ＲＳＲＰの何れかの値で構成された場合、ＣＳＩフィードバックは１つのパートに構成されてもよい。即ち、上位層パラメータＲｅｐｏｒｔＱｕａｎｔｉｔｙがＣＳＩ／ＲＳＲＰ、および／または、ＳＳＢＲＩ／ＲＳＲＰの何れかの値で構成された場合、ＣＳＩフィードバックはＣＳＩ−Ｐａｒｔ１に構成されてもよい。また、上位層パラメータＲｅｐｏｒｔＱｕａｎｔｉｔｙがＣＳＩ／ＲＳＲＰ、および／または、ＳＳＢＲＩ／ＲＳＲＰの何れかの値で構成された場合、ＣＳＩフィードバックはＣＳＩ−Ｐａｒｔ２に構成されてもよい。
【００７８】
ＰＵＳＣＨで送信されるが、ＰＵＣＣＨに対して構成されたタイプＩレポートおよびタイプＩＩレポートの両方に対して、該ＰＵＳＣＨのエンコーディングスキーム（ｅｎｃｏｄｉｎｇ  ｓｃｈｅｍｅ）は該ＰＵＣＣＨのエンコーディングスキームに従ってもよい。ＰＵＣＣＨに対して構成されたタイプＩレポート、および／または、タイプIIレポートがＰＵＳＣＨで送信される場合、該ＰＵＳＣＨのエンコーディングスキームは該ＰＵＣＣＨのエンコーディングスキームに従ってもよい。即ち、ＰＵＣＣＨに対して構成されたタイプＩレポート、および／または、タイプIIレポートがＰＵＳＣＨで送信される場合、該ＰＵＳＣＨのエンコーディングスキームはポラーコード（Ｐｏｌａｒ  Ｃｏｄｅ）であってもよい。
【００７９】
ＰＵＳＣＨで送信されるＣＳＩレポートが２つに分割される場合、端末装置１はＣＳＩ−Ｐａｒｔ２の一部または全部を取り除いてもよい。‘取り除く（ｏｍｉｔ）’ことは規則に従ってデータの一部または全部を送信せず破棄することを意味してもよい。該規則は優先順位（ｐｒｉｏｒｉｔｙ  ｌｅｖｅｌ）に基づいて決められてもよい。また、取り除くことはドロッピング（ｄｒｏｐｐｉｎｇ）とも呼称されてもよい。取り除かれたデータはリソースエレメントにマップされなくてもよい。また、‘取り除く（ｏｍｉｔ）’ことはデータが規則に従って上りリンクデータに選択されないことを意味してもよい。
【００８０】
ＵＬ−ＳＣＨを伴うＰＵＳＣＨにおけるＨＡＲＱ−ＡＣＫ情報の送信において、ＨＡＲＱ−ＡＣＫ情報の送信のためのレイヤー毎の符号化変調シンボル（ｃｏｄｅｄ  ｍｏｄｕｌａｔｉｏｎ  ｓｙｍｂｏｌ）の数Ｑ’ＡＣＫは数式１に少なくとも基づいて決定されてもよい。ここで、符号化変調シンボルは、レートマッチング出力系列の長さＥＵＣＩを導き出すために用いられてもよい。また、符号化変調シンボルは符号化されたビットのセット（グループ、集合）であってもよい。符号化変調シンボルは、ＰＵＳＣＨに対する変調次数と同じ数の符号化ビットを含んでもよい。符号化変調シンボルは変調シンボルに対応してもよい。１つの符号化変調シンボルを変調することによって、１つの変調シンボル（複素数値シンボル）が得られる。符号化変調シンボルの数は、変調方式によって変調される変調シンボル（複素数値シンボル）の数と同じであってもよい。該変調方式はＱＡＭ（Ｑｕａｄｒａｔｕｒｅ  Ａｍｐｌｉｔｕｄｅ  Ｍｏｄｕｌａｔｉｏｎ）であってもよいし、ＱＰＳＫ（Ｑｕａｄｒａｔｕｒｅ  Ｐｈａｓｅ  Ｓｈｉｆｔ  Ｋｅｙｉｎｇ）であってもよいし、ＢＰＳＫ（Ｂｉｎａｒｙ  Ｐｈａｓｅ  Ｓｈｉｆｔ  Ｋｅｙｉｎｇ）であってもよい。
【００８１】
【数１】
2020025217.tif 000003
【００８２】
ＯＡＣＫはＨＡＲＱ−ＡＣＫ情報のビット数であってもよい。ＬＡＣＫはＯＡＣＫに対応するＣＲＣビット数であってもよい。ＬＡＣＫはＯＡＣＫに対応する参照ＣＲＣビット数であってもよい。ＬＡＣＫは、端末装置１が実際に送信するＣＲＣビット数と異なってもよい。ＨＡＲＱ−ＡＣＫ情報のビット数が１２より小さい場合（つまり、ＯＡＣＫ＜１２）、端末装置１はＬＡＣＫを０に設定してもよい。ＨＡＲＱ−ＡＣＫ情報のビット数が１２と同じまたは大きい、且つ、１９と同じまたは小さい場合（つまり、１２≦ＯＡＣＫ≦１９）、端末装置１はＬＡＣＫを６に設定してもよい。ＨＡＲＱ−ＡＣＫ情報のビット数が２０と同じまたは大きい、且つ、３６０より小さい場合（つまり、２０≦ＯＡＣＫ＜３６０）、端末装置１はＬＡＣＫを１１に設定してもよい。また、ＨＡＲＱ−ＡＣＫ情報のビット数が３６０と同じまたは大きい場合（つまり、３６０≦ＯＡＣＫ）、端末装置１はＬＡＣＫを１１に設定してもよい。αは上位層パラメータｓｃａｌｉｎｇに少なくとも基づいて与えられてもよい。αは、0.5、0.65、0.8、1の何れかの値であってもよい。ｌ
０はＰＵＳＣＨにおいてＤＭＲＳを含まない最初のＯＦＤＭシンボルのインデックスであってもよい。また、cｅｉｌ（Ｆ)は、数値Ｆの小数点以下を切り上げた整数を出力する関数である。ｍｉｎ｛Ｆ１, Ｆ２｝はＦ１とＦ２の中で小さい方の値を出力する関数である。
【００８３】
ＭＳＣＵＣＩ（ｌ）はl番目のＯＦＤＭシンボルでのＵＣＩ送信に用いられるリソース
エレメントの数であってもよい。ＭＳＣＵＣＩ（ｌ）はl番目のＯＦＤＭシンボルでのＵ
ＣＩ送信に用いることができるリソースエレメントの数であってもよい。ここで、ｌは０からＮｓｙｍｂ，ａｌｌＰＵＳＣＨ−１の整数であってもよい。つまり、ｌ＝０、１、２、・・・、Ｎｓｙｍｂ，ａｌｌＰＵＳＣＨ−１の関係であってもよい。また、Ｎｓｙｍｂ，ａｌｌＰＵＳＣＨはＰＵＳＣＨ送信で用いられるＯＦＤＭシンボルの総数であってもよい。ＤＭＲＳで用いられるＯＦＤＭシンボルの数がＮｓｙｍｂ，ａｌｌＰＵＳＣＨに含まれてもよい。l番目のＯＦＤＭシンボルにおいてＰＵＳＣＨのＤＭＲＳが送信される場合
、ＭＳＣＵＣＩ（ｌ）は０であってもよい。l番目のＯＦＤＭシンボルにおいてＰＵＳＣ
ＨのＤＭＲＳが送信されない場合、ＭＳＣＵＣＩ（ｌ）はサブキャリアの数で表現されるＰＵＳＣＨ送信がスケジューリングされた帯域幅からｌ番目のＯＦＤＭシンボルにおいて送信されるＰＴ−ＲＳのサブキャリアの数を引いた値に少なくとも基づいて与えられてもよい。つまり、ＭＳＣＵＣＩ（ｌ）＝ＭＳＣＰＵＳＣＨ−ＭＳＣＰＴ−ＲＳ（ｌ）の関係であってもよい。ここで、ＭＳＣＰＵＳＣＨはサブキャリアの数で表現されるＰＵＳＣＨ送信がスケジューリングされた帯域幅であってもよい。また、ＭＳＣＰＴ−ＲＳ（ｌ）はｌ番目のＯＦＤＭシンボルにおいて送信されるＰＴ−ＲＳのサブキャリアの数であってもよい。
【００８４】
ＰＵＳＣＨ送信をスケジューリングするＤＣＩフォーマットに端末装置１がｒ番目のコードブロックを送信しないことを指示するＣＢＧＴＩフィールドが含まれる場合、Ｋｒは０であってもよい。ＰＵＳＣＨ送信をスケジューリングするＤＣＩフォーマットに端末装置１がｒ番目のコードブロックを送信しないことを指示するＣＢＧＴＩフィールドが含まれない場合、ＫｒはＰＵＳＣＨ送信におけるＵＬ−ＳＣＨのｒ番目のコードブロックのサイズであってもよい。ｒは０からＣＵＬ−ＳＣＨ−1の整数であってもよい。つまり、ｒ
＝０、１、２、・・・、ＣＵＬ−ＳＣＨ−1の関係であってもよい。ＣＵＬ−ＳＣＨはＰ
ＵＳＣＨ送信におけるＵＬ−ＳＣＨのためのコードブロックの数であってもよい。
【００８５】
βｏｆｆｓｅｔＰＵＳＣＨは、ＰＵＳＣＨにおいてＨＡＲＱ−ＡＣＫ情報の多重、および／または、ＣＳＩ情報の多重に用いられるリソースの数を決定するためのオフセット値である。βｏｆｆｓｅｔＰＵＳＣＨは、ＨＡＲＱ−ＡＣＫ情報、および／または、ＣＳＩ情報が多重されるＰＵＳＣＨ送信をスケジューリングするＤＣＩフォーマットによって端末装置１にシグナリングされてもよいし、上位層からシグナリングされてもよい。ＨＡＲＱ−ＡＣＫ情報に対応する当該オフセット値はβｏｆｆｓｅｔＨＡＲＱ−ＡＣＫであってもよい。ＣＳＩ−Ｐａｒｔ１に対応する当該オフセット値はβｏｆｆｓｅｔＣＳＩ−１であってもよい。ＣＳＩ−Ｐａｒｔ２に対応する当該オフセット値はβｏｆｆｓｅｔＣＳＩ−２であってもよい。
【００８６】
端末装置１においてＤＣＩフォーマット０＿０がＰＵＳＣＨ送信をスケジューリングする場合、端末装置１は、上位層から与えられたβｏｆｆｓｅｔＨＡＲＱ−ＡＣＫを該オフセットに対応するＨＡＲＱ−ＡＣＫ情報に適用し、および／または、上位層から与えられたβｏｆｆｓｅｔＣＳＩ−１を該オフセットに対応するＣＳＩ−Ｐａｒｔ１に適用し、および／または、上位層から与えられたβｏｆｆｓｅｔＣＳＩ−２を該オフセットに対応するＣＳＩ−Ｐａｒｔ２に適用してもよい。
【００８７】
ＵＬ−ＳＣＨを伴わないＰＵＳＣＨにおけるＨＡＲＱ−ＡＣＫ情報の送信において、ＨＡＲＱ−ＡＣＫ情報の送信のためのレイヤー毎の符号化変調シンボルの数Ｑ’ＡＣＫは数式２に少なくとも基づいて決定されてもよい。
【００８８】
【数２】
2020025217.tif 000004
【００８９】
ＲはＰＵＳＣＨをスケジューリングするＤＣＩフォーマットに少なくとも基づいて与えられてもよい。ＲはＰＵＳＣＨをスケジューリングするＤＣＩフォーマットに含まれる値に少なくとも基づいて与えられてもよい。ＲはＰＵＳＣＨをスケジューリングするＤＣＩフォーマットに少なくとも基づいて与えられるターゲットコードレート（ｔａｒｇｅｔ  ｃｏｄｅｒａｔｅ）であってもよい。ＲはＰＵＳＣＨのコードレートであってもよい。ＲはＰＵＳＣＨのターゲットコードレート（ｔａｒｇｅｔ  ｃｏｄｅｒａｔｅ）であってもよい。Ｒは実際のＵＬ−ＳＣＨのコードレートと同じでもよいし、異なってもよい。Ｒは実際のＨＡＲＱ−ＡＣＫのコードレートと同じでもよいし、異なってもよい。Ｒは実際のＣＳＩ  Ｐａｒｔ１のコードレートと同じでもよいし、異なってもよい。Ｒは実際のＣＳＩ  Ｐａｒｔ２のコードレートと同じでもよいし、異なってもよい。また、実際のコードレートは、ペイロードaおよび該ペイロードaに対応するＣＲＣビット数の総和とレートマッチング出力系列の長さの比であってもよい。また、ＵＣＩのコードレートはＵＣＩペイロードaと該ＵＣＩペイロードaに対応するＣＲＣビット数の総和とレートマッチング出力系列の長さの比であってもよい。コードレートは０と同じまたは大きい、且つ、１と同じまたは小さい値であってもよい。ＱｍはＰＵＳＣＨの変調次数（ｍｏｄｕｌａｔｉｏｎ  ｏｒｄｅｒ）であってもよい。例えば、６４ＱＡＭの場合、Ｑｍは６である。１６ＱＡＭの場合、Ｑｍは４である。ＱＰＳＫの場合、Ｑｍは２であってもよい。また、ＢＰＳＫの場合、Ｑｍは１であってもよい。
【００９０】
数式１、および、数式２において、βｏｆｆｓｅｔＰＵＳＣＨは、ＰＵＳＣＨにおけるＨＡＲＱ−ＡＣＫ情報の多重に用いられるリソースの数を決定するための上位層パラメータβｏｆｆｓｅｔＨＡＲＱ−ＡＣＫであってもよいし、ＤＣＩフォーマットに少なくとも基づいて指示された値であってもよい。
【００９１】
ＵＬ−ＳＣＨを伴うＰＵＳＣＨにおけるＣＳＩ−Ｐａｒｔ１の送信において、ＣＳＩ−Ｐａｒｔ１の送信のためのレイヤー毎の符号化変調シンボルの数Ｑ’ＣＳＩ−１は数式３に少なくとも基づいて決定されてもよい。
【００９２】
【数３】
2020025217.tif 000005
【００９３】
ＵＬ−ＳＣＨを伴わないＰＵＳＣＨにおいて送信されるＣＳＩ−Ｐａｒｔ１が存在し、且つ、該ＰＵＳＣＨにおいて送信されるＣＳＩ−Ｐａｒｔ２が存在する場合、ＣＳＩ−Ｐａｒｔ１の送信のためのレイヤー毎の符号化変調シンボルの数Ｑ’ＣＳＩ−１は数式４に少なくとも基づいて決定されてもよい。
【００９４】
【数４】
2020025217.tif 000006
【００９５】
ＯＣＳＩ−１はＣＳＩ−Ｐａｒｔ１のビット数であってもよい。ＬＣＳＩ−１はＯＣＳＩ−１に対応するＣＲＣビット数であってもよい。ＬＣＳＩ−１はＯＣＳＩ−１に対応する参照ＣＲＣビット数であってもよい。ＬＣＳＩ−１は、端末装置１が実際に送信するＣＲＣビット数と異なってもよい。ＣＳＩ−Ｐａｒｔ１のビット数が１２より小さい場合（つまり、ＯＣＳＩ−１＜１２）、端末装置１はＬＣＳＩ−１を０に設定してもよい。ＣＳＩ−Ｐａｒｔ１のビット数が１２と同じまたは大きい、且つ、１９と同じまたは小さい場合（つまり、１２≦ＯＣＳＩ−１≦１９）、端末装置１はＬＣＳＩ−１を６に設定してもよい。ＣＳＩ−Ｐａｒｔ１のビット数が１９と同じまたは大きい、且つ、３６０より小さい場合（つまり、２０≦ＯＣＳＩ−１＜３６０）、端末装置１はＬＣＳＩ−１を１１に設定してもよい。また、ＣＳＩ−Ｐａｒｔ１のビット数が３６０と同じまたは大きい場合（つまり、３６０≦ＯＣＳＩ−１）、端末装置１はＬＣＳＩ−１を１１に設定してもよい。
【００９６】
数式３、および／または、数式４において、βｏｆｆｓｅｔＰＵＳＣＨは、ＰＵＳＣＨにおけるＣＳＩ−Ｐａｒｔ１の多重に用いられるリソースの数を決定するための上位層パラメータβｏｆｆｓｅｔＣＳＩ−ｐａｒｔ１であってもよいし、ＤＣＩフォーマットに少なくとも基づいて指示される値であってもよい。ＰＵＳＣＨで送信されるＨＡＲＱ−ＡＣＫのビット数ＯＡＣＫが２ビットと同じまたは小さい場合、数式３、および、数式４におけるＱ’ＡＣＫは数式５に少なくとも基づいて決定されてもよい。ＰＵＳＣＨで送信されるＨＡＲＱ−ＡＣＫのビット数ＯＡＣＫが２ビットより大きい場合、数式３、および、数式４におけるＱ’ＡＣＫは数式１または数式２に少なくとも基づいて決定されてもよい。ＰＵＳＣＨで送信されるＨＡＲＱ−ＡＣＫのビット数ＯＡＣＫが２ビットより大きい場合、数式３、および、数式４におけるＱ’ＡＣＫはＰＵＳＣＨで送信されるＨＡＲＱ−ＡＣＫのレイヤー毎の符号化変調シンボルの数であってもよい。数式５において、Ｍｓｃ，ｒｖｄＡＣＫ（ｌ）はＯＦＤＭシンボルｌにおける潜在的な（ｐｏｔｅｎｔｉａｌ）ＨＡＲＱ−ＡＣＫ送信のために確保（ｒｅｓｅｒｖｅｄ）されたリソースエレメントの数であってもよい。数式５におけるＱ’ＡＣＫはＯＦＤＭシンボルインデックスｌが０からＮｓｙｍｂ，ａｌｌＰＵＳＣＨ−１においてリソースエレメントの数の総和であってもよい。以下、特に記載がないかぎりＱ’ＡＣＫは数式１または数式２に少なくとも基づいて決定されるＱ’ＡＣＫである。
【００９７】
【数５】
2020025217.tif 000007
【００９８】
ＵＬ−ＳＣＨを伴わないＰＵＳＣＨにおいて送信されるＣＳＩ−Ｐａｒｔ１が存在し、且つ、該ＰＵＳＣＨにおいて送信されるＣＳＩ−Ｐａｒｔ２が存在しない場合、ＣＳＩ−Ｐａｒｔ１の送信のためのレイヤー毎の符号化変調シンボルの数Ｑ’ＣＳＩ−１は数式６に少なくとも基づいて決定されてもよい。
【００９９】
【数６】
2020025217.tif 000008
【０１００】
ＵＬ−ＳＣＨを伴うＰＵＳＣＨにおけるＣＳＩ−Ｐａｒｔ２の送信において、ＣＳＩ−Ｐａｒｔ２の送信のためのレイヤー毎の符号化変調シンボルの数Ｑ’ＣＳＩ−２は数式７に少なくとも基づいて決定されてもよい。
【０１０１】
【数７】
2020025217.tif 000009
【０１０２】
ＯＣＳＩ−２はＣＳＩ−Ｐａｒｔ２のビット数であってもよい。ＬＣＳＩ−２はＯＣＳＩ−２に対応するＣＲＣビット数であってもよい。ＬＣＳＩ−２はＯＣＳＩ−２に対応する参照ＣＲＣビット数であってもよい。ＬＣＳＩ−２は、端末装置１が実際に送信するＣＲＣビット数と異なってもよい。ＣＳＩ−Ｐａｒｔ２のビット数が１２より小さい場合（つまり、ＯＣＳＩ−２＜１２）、端末装置１はＬＣＳＩ−２を０に設定してもよい。ＣＳＩ−Ｐａｒｔ２のビット数が１２と同じまたは大きい、且つ、１９と同じまたは小さい場合（つまり、１２≦ＯＣＳＩ−２≦１９）、端末装置１はＬＣＳＩ−２を６に設定してもよい。ＣＳＩ−Ｐａｒｔ２のビット数が２０と同じまたは大きい、且つ、３６０より小さい場合（つまり、２０≦ＯＣＳＩ−２＜３６０）、端末装置１はＬＣＳＩ−２を１１に設定してもよい。また、ＣＳＩ−Ｐａｒｔ２のビット数が３６０と同じまたは大きい場合（つまり、３６０≦ＯＣＳＩ−２）、端末装置１はＬＣＳＩ−２を１１に設定してもよい。
【０１０３】
数式７において、βｏｆｆｓｅｔＰＵＳＣＨは、ＰＵＳＣＨにおけるＣＳＩ−Ｐａｒｔ２の多重に用いられるリソースの数を決定するための上位層パラメータβｏｆｆｓｅｔＣＳＩ−ｐａｒｔ２であってもよいし、ＤＣＩフォーマットに少なくとも基づいて指示された値であってもよい。ＨＡＲＱ−ＡＣＫのビット数ＯＡＣＫが２ビットと同じまたは小さい場合、数式６、および、数式７におけるＱ’ＡＣＫは０であってもよい。ＰＵＳＣＨで送信されるＨＡＲＱ−ＡＣＫのビット数ＯＡＣＫが２ビットより大きい場合、数式６、および、数式７におけるＱ’ＡＣＫは数式１または数式２に少なくとも基づいて決定されてもよい。ＨＡＲＱ−ＡＣＫのビット数ＯＡＣＫが２ビットより大きい場合、数式６、および、数式７におけるＱ’ＡＣＫはＰＵＳＣＨで送信されるＨＡＲＱ−ＡＣＫのレイヤー毎の符号化変調シンボルの数であってもよい。
【０１０４】
ＵＬ−ＳＣＨを伴わないＰＵＳＣＨにおけるＣＳＩ−Ｐａｒｔ２の送信において、ＣＳＩ−Ｐａｒｔ２の送信のためのレイヤー毎の符号化変調シンボルの数Ｑ’ＣＳＩ−２は数式８に少なくとも基づいて決定されてもよい。
【０１０５】
【数８】
2020025217.tif 000010
【０１０６】
コードブロックｒにおけるレートマッチングへの入力ビット系列はｄｒ０，ｄｒ１，ｄｒ２，ｄｒ３，・・・,ｄｒ（Ｎｒ−１）で定義されてもよい。ここでｒはコードブロッ
クのインデックスであってもよい。また、Ｎｒはコードブロックｒにおける符号化ビットの総数であってもよい。コードブロックｒにおけるレートマッチング出力系列の長さＥｒは、コードブロックの総数、ＰＵＳＣＨのレイヤー数ＮＬ、変調次数、および／または、レイヤー毎の符号化変調シンボルに少なくとも基づいて導出されてもよい。レートマッチング後の出力ビット系列はｆｒ０，ｆｒ１，ｆｒ２，ｆｒ３，・・・,ｆｒ（Ｅｒ−１）
で定義されてもよい。即ち、コードブロックｒにおけるレートマッチング出力系列の長さＥｒは、数式９に少なくとも基づいて与えられてもよい。
【０１０７】
【数９】
2020025217.tif 000011
【０１０８】
数式９において、ＣＵＣＩはＵＣＩペイロードａのためのコードブロックの数であってもよい。ＥＵＣＩはＰＵＳＣＨのレイヤー数ＮＬにおける一部または全てのレイヤーに対応するレートマッチング出力系列の長さであってもよい。また、ＥＵＣＩは少なくともレイヤー数、ＵＣＩペイロードａの符号化変調シンボル数、および／または、変調次数に少なくとも基づいて与えられてもよい。ＨＡＲＱ−ＡＣＫ情報に対応するレートマッチング出力系列の長さは数式１０に少なくとも基づいて与えられてもよい。ＣＳＩ−Ｐａｒｔ１に対応するレートマッチング出力系列の長さは数式１１に少なくとも基づいて与えられてもよい。ＣＳＩ−Ｐａｒｔ２に対応するレートマッチング出力系列の長さは数式１２に少なくとも基づいて与えられてもよい。数式１０、数式１１、および／または、数式１２においてＮＬはレイヤー数であってもよい。ｆｌｏｏｒ（Ｆ)は、数値Ｆの小数点以下を切
り下げた整数を出力する関数である。例えば、Ｆ＝３．９であれば、ｆｌｏｏｒ（Ｆ）＝３であり、Ｆ＝５．２であれば、ｆｌｏｏｒ（Ｆ）＝５のようになる。
【０１０９】
【数１０】
2020025217.tif 000012
【０１１０】
【数１１】
2020025217.tif 000013
【０１１１】
【数１２】
2020025217.tif 000014
【０１１２】
ＰＵＳＣＨで送信されるＣＳＩレポートが２つに分割される場合、端末装置１は一部または全てのＣＳＩ−Ｐａｒｔ２を取り除いてもよい。ＣＳＩ−Ｐａｒｔ２の取り除きは優先順位（ｐｒｉｏｒｉｔｙ  ｏｒｄｅｒ）に従って行ってもよい。優先順位はＣＳＩレポ
ートの種類、サービングセルインデックスに少なくとも基づいて与えられてもよい。  
【０１１３】
ＣＳＩレポートが多重されるＰＵＳＣＨで上りリンクデータを送信するために端末装置１がスケジューリングされ、且つ、全てのＣＳＩ−Ｐａｒｔ２の送信のためのＵＣＩコードレートが閾値コードレート（ｔｈｒｅｓｈｏｌｄ  ｃｏｄｅｒａｔｅ）ｃＴより大きい場合、一部または全てのＣＳＩ−Ｐａｒｔ２が取り除かれてもよい。ＵＬ−ＳＣＨを伴うＰＵＳＣＨの該閾値コードレート（ｔｈｒｅｓｈｏｌｄ  ｃｏｄｅｒａｔｅ）ｃＴは数式１３に少なくとも基づいて与えられてもよい。全てのＣＳＩ−Ｐａｒｔ２は、一部または全てのＣＳＩ−Ｐａｒｔ２が取り除かれる前のＣＳＩ−Ｐａｒｔ２であってもよい。ここでｃＭＣＳは、Ｒであってもよい。
【０１１４】
【数１３】
2020025217.tif 000015
【０１１５】
ＣＳＩ−Ｐａｒｔ２が上りリンクデータを伴わないＰＵＳＣＨで送信される場合、端末装置１はＣＳＩ−Ｐａｒｔ２のコードレートが閾値コードレート（ｔｈｒｅｓｈｏｌｄ  ｃｏｄｅｒａｔｅ）ｃＴと同じまたは低くなるまで優先順位が低い順に基づいて一部または全てのＣＳＩ−Ｐａｒｔ２を取り除いてもよい。つまり、端末装置１は優先順位が低いＣＳＩ−Ｐａｒｔ２の一部または全部を先にドロッピングしてもよい。ＣＳＩ−Ｐａｒｔ２が上りリンクデータを伴わないＰＵＳＣＨで送信される場合の閾値コードレート（ｔｈｒｅｓｈｏｌｄ  ｃｏｄｅｒａｔｅ）ｃＴは数式１４に少なくとも基づいて与えられてもよい。
【０１１６】
【数１４】
2020025217.tif 000016
【０１１７】
Ｎｒｅｐは、１つのスロットにおけるＣＳＩ−Ｐａｒｔ２を含むＣＳＩレポートの数である。端末装置１はＮｒｅｐ個のＣＳＩ−Ｐａｒｔ２のうちＮ’Ｒｅｐ個のＣＳＩ−Ｐａｒｔ２を優先順位に従って決定してもよい。端末装置１はＮ’Ｒｅｐ個のＣＳＩ−Ｐａｒｔ２をＰＵＳＣＨに多重して送信する。端末装置１はＮ’Ｒｅｐ個のＣＳＩ−Ｐａｒｔ２のペイロードサイズＯＣＳＩ−ｐａｒｔ２に少なくとも基づいてＱ’ＣＳＩ−２を決定してもよい。Ｎ’Ｒｅｐは数式１５の不等式を満たす値であってもよい。Ｎ’Ｒｅｐは数式１５の不等式を満たす最大の整数であってもよい。端末装置１は（Ｎｒｅｐ−Ｎ’ｒｅｐ）個のＣＳＩ−Ｐａｒｔ２を優先順位に少なくとも基づいて取り除いてもよい。ＣＳＩ−Ｐａｒｔ２を取り除くことは、数式１６におけるＯＣＳＩ−２、および／または、ＬＣＳＩ−２のサイズが小さくなることを意味してもよい。また、ＣＳＩ−Ｐａｒｔ２を取り除くことは、Ｎ’Ｒｅｐ個のＣＳＩ−Ｐａｒｔ２を選択することを意味してもよい。ここで、Ｎ’Ｒｅｐ個のＣＳＩ−Ｐａｒｔ２のビット数は、数式１５を満たす最大値であってもよい。また、ＥｂｉｔはＣＳＩ−Ｐａｒｔ２に対応するレートマッチング出力系列の長さＥＵＣＩであってもよい。また、ＥｂｉｔはＣＳＩ−Ｐａｒｔ２を取り除くための参照値であってもよい。ＥｂｉｔはＣＳＩ−Ｐａｒｔ２が取り除かれないことに少なくとも基づいて与えられてもよい。また、ＯＣＳＩ−２，ｎは１つまたは複数のＣＳＩ−Ｐａｒｔ２レポートを優先順位で整列したｎ番目のレポートのビット数であり、ｎが小さいほど優先順位が高いことを意味してもよい。
【０１１８】
【数１５】
2020025217.tif 000017
【０１１９】
【数１６】
2020025217.tif 000018
【０１２０】
図６は本実施形態におけるＵＬ−ＳＣＨを伴わないＰＵＳＣＨで送信されるＵＣＩペイロードの符号化変調シンボルの数を導出するフローチャートを示す図である。６０１で端末装置１にＵＬ−ＳＣＨを伴わないＰＵＳＣＨがスケジュールされる場合、端末装置１は６０２でＨＡＲＱ−ＡＣＫに対応する符号化変調シンボルの数Ｑ’ＡＣＫを数式２に少なくとも基づいて導出する。６０３において、ＨＡＲＱ−ＡＣＫのためのレートマッチング出力系列の長さは、６０２で導出したＱ’ＡＣＫに少なくとも基づいて与えられてもよい。また、６０３において、ＨＡＲＱ−ＡＣＫのためのレートマッチング出力系列は数式１０に少なくとも基づいて与えられてもよい。
【０１２１】
６０４において、ＵＣＩペイロードにＣＳＩ−Ｐａｒｔ２が含まれるかの判定を行ってもよい。ＵＣＩペイロードにＣＳＩ−Ｐａｒｔ２が含まれる場合、６０５へ進む。ＵＣＩペイロードにＣＳＩ−Ｐａｒｔ２が含まれない場合、６１３へ進む。
【０１２２】
６０５において、ＣＳＩ−Ｐａｒｔ１のための臨時（ｔｅｍｐｏｒａｒｙ）符号化変調シンボルの数Ｑ’ＣＳＩ−１を計算してもよい。６０５における該臨時符号化変調シンボルの数Ｑ’ＣＳＩ−１は数式４に少なくとも基づいて与えられてもよい。当該臨時符号化変調シンボルの数Ｑ’ＣＳＩ−１は実際の符号化変調シンボルの数と異なってもよいし、同じでもよい。当該臨時符号化変調シンボルの数Ｑ’ＣＳＩ−１はＣＳＩ−Ｐａｒｔ２がドロッピングされないことを想定して導かれてもよい。ここで、ＣＳＩ−Ｐａｒｔ２がドロッピングされることは、ＰＵＳＣＨにＣＳＩ−Ｐａｒｔ２が多重されないことであってもよい。また、ＣＳＩ−Ｐａｒｔ２がドロッピングされることは、ＰＵＳＣＨにＣＳＩ−Ｐａｒｔ２がマップされないことであってもよい。
【０１２３】
６０６において、ＣＳＩ−Ｐａｒｔ１の臨時レートマッチング出力系列の長さは６０５で決定した臨時符号化変調シンボルの数Ｑ’ＣＳＩ−１に少なくとも基づいて決定されてもよい。６０６でＣＳＩ−Ｐａｒｔ１の臨時レートマッチング出力系列の長さは数式１１に少なくとも基づいて決定されてもよい。
【０１２４】
６０７において、ＣＳＩ−Ｐａｒｔ２のための臨時（ｔｅｍｐｏｒａｒｙ）符号化変調シンボルの数Ｑ’ＣＳＩ−２を計算してもよい。６０７における該臨時符号化変調シンボルの数Ｑ’ＣＳＩ−２は数式８に少なくとも基づいて与えられてもよい。当該臨時符号化変調シンボルの数Ｑ’ＣＳＩ−２は実際の符号化変調シンボルの数と異なってもよいし、同じでもよい。当該臨時符号化変調シンボルの数Ｑ’ＣＳＩ−２はＣＳＩ−Ｐａｒｔ２がドロッピングされないことを想定して導かれてもよい。
【０１２５】
６０８において、ＣＳＩ−Ｐａｒｔ２の臨時レートマッチング出力系列の長さは６０７で決定した臨時符号化変調シンボルの数Ｑ’ＣＳＩ−２に少なくとも基づいて決定されてもよい。６０８において、ＣＳＩ−Ｐａｒｔ２の臨時レートマッチング出力系列の長さは
数式１２に少なくとも基づいて決定されてもよい。ＣＳＩ−Ｐａｒｔ２の臨時レートマッチング出力系列の長さはＣＳＩ−Ｐａｒｔ２を取り除くための参照値であってもよい。
【０１２６】
６１０において、全てのＣＳＩ−Ｐａｒｔ２がドロッピングされたかどうかを判断する。全てのＣＳＩ−Ｐａｒｔ２がドロッピングされた場合、６１３へ進む。全てのＣＳＩ−Ｐａｒｔ２がドロッピングされなかった場合、６１１へ進む。すなわち、一部のＣＳＩ−Ｐａｒｔ２がドロッピングされた場合、６１１へ進む。ＣＳＩ−Ｐａｒｔ２がドロッピングされなかった場合、６１１へ進む。ドロッピングを施した後にもＣＳＩ−Ｐａｒｔ２が存在する場合、６１１へ進む。
【０１２７】
６１１において、ＣＳＩ−Ｐａｒｔ１のための臨時符号化変調シンボルの数をＣＳＩ−Ｐａｒｔ１のための符号化変調シンボルの数に設定してもよい。また、６１２において、ＣＳＩ−Ｐａｒｔ１のための臨時レートマッチング出力系列の長さをＣＳＩ−Ｐａｒｔ１のためのレートマッチング出力系列の長さに設定してもよい。６１１において、ＣＳＩ−Ｐａｒｔ２のための臨時符号化変調シンボルの数をＣＳＩ−Ｐａｒｔ２のための符号化変調シンボルの数に設定してもよい。また、６１２において、ＣＳＩ−Ｐａｒｔ２のための臨時レートマッチング出力系列の長さをＣＳＩ−Ｐａｒｔ２のためのレートマッチング出力系列の長さに設定してもよい。
【０１２８】
６１３において、端末装置１はＣＳＩ−Ｐａｒｔ２が存在しないことを想定して符号化変調シンボルの数Ｑ’ＣＳＩ−１を計算してもよい。ＣＳＩ−Ｐａｒｔ１のレートマッチング出力系列の長さは、６１３において計算される符号化変調シンボルの数Ｑ’ＣＳＩ−１に少なくとも基づいて与えられてもよい。６１３において、ＣＳＩ−Ｐａｒｔ１のレートマッチング出力系列の長さは、ＣＳＩ−Ｐａｒｔ２が存在しないことを想定して与えられてもよい。ＣＳＩ−Ｐａｒｔ２が存在しないことは、ＰＵＳＣＨでＣＳＩ−Ｐａｒｔ２が送信されないことであってもよい。
【０１２９】
図７は本実施形態における端末装置１と基地局装置３の小数点計算能力の一例を示した図である。７０１はＣＳＩ−Ｐａｒｔ２に対応する閾値コードレートｃＴであってもよい。７０２はＣＳＩ−Ｐａｒｔ２の実際のコードレートであってもよい。また、７０３は基地局装置３の小数点計算能力であってもよい。７０４は端末装置１の小数点計算能力であってもよい。ここで小数点計算能力は小数点以下の値を計算できる能力であり、小数点以下の桁数が多いほど計算能力が高いことを意味してもよい。即ち、図７において、基地局装置３の小数点計算能力は端末装置１の小数点計算能力より高いことである。
【０１３０】
図７で示されるように、端末装置１の小数点計算能力では数式１５に示す不等式を満たすことになるが、基地局装置３の小数点計算能力では数式１５に示す不等式を満たさないことになる。つまり、数式１３、および／または、数式１４から導かれる閾値コードレートｃＴは装置の小数点計算能力によって数式１５の不等式を満たす場合もあるし、満たさない場合もある問題が生じる。また、数式１６に示すｃａｃｔ（Ｎ’Ｒｅｐ）から導かれる実際のコードレートは装置の小数点計算能力によって数式１５の不等式を満たす場合もあるし、満たさない場合もある問題が生じる。
【０１３１】
端末装置１は数式１７で示すように閾値コードレート、および、実際のコードレートを整数に変換してドロッピングを施してもよい。ここでｉｎｔＡ（Ｆ３）、または、ｉｎｔＢ（Ｆ３）は小数点を持つ数Ｆ３を整数に変換する関数であってもよい。また、ｉｎｔＡ（Ｆ３）、または、ｉｎｔＢ（Ｆ３）はｆｌｏｏｒ（Ｆ３）関数であってもよいし、ｃｅｉｌ（Ｆ３）関数であってもよいし、小数点第ｚ位から小数点第１位まで順に四捨五入を行って整数を出力する関数であってもよい。ここでｚは１と同じまたは大きい整数であってもよい。例えば、小数１０．４５４４５においてｚ＝５（第５位）の場合、四捨五入の
結果は１１であってもよい。ｉｎｔＡ（）とｉｎｔＢ（）は同じ種類の関数を用いて出力されてもよいし、異なる種類の関数を用いて出力されてもよい。ｘ１は０より大きい数であってもよいし、１であってもよいし、１０００であってもよいし、１０２４であってもよいし、１０ｘであってもよい。ここでｘが３の場合、１０ｘ＝１０００、または、ｘ１＝１０００の関係であってもよい。例えば、図７に示すｃＴとｃａｃｔ（Ｎ’Ｒｅｐ）の一例においてｘ１＝１０ｘ、ｘ＝５、ｉｎｔＡ（）＝ｆｌｏｏｒ（）、ｉｎｔＢ（）＝ｆｌｏｏｒ（）の場合、ｉｎｔＡ（ｃＴ・１０ｘ）＝１２３４５、ｉｎｔＢ（ｃａｃｔ（Ｎ’Ｒｅｐ）・１０ｘ）＝１２３４５であってもよい。Ｎ’Ｒｅｐは数式１７で示す不等式を満たす値であってもよい。また、Ｎ’Ｒｅｐは数式１７で示す不等式を満たす最大値であってもよい。
【０１３２】
【数１７】
2020025217.tif 000019
【０１３３】
不等式を満たす最大値を決定する方法は、数式１８で示す最大値を出力するｍａｘ関数を用いてもよい。例えば、ｍａｘ関数を用いて数式１７におけるＮ’Ｒｅｐの最大値を決定する方法を、数式１８に示す。ここで、ｍａｘａ１｛ｃｏｎｄｉｔｉｏｎ｝はｃｏｎｄｉｔｉｏｎを満たすａ１の最大値を出力する関数である。数式１８は、数式１７をｃｏｎｄｉｔｉｏｎとして入力し、該ｃｏｎｄｉｔｉｏｎを満たすＮ’Ｒｅｐの最大値を出力する関数である。なお、ａ１がｃｏｎｄｉｔｉｏｎを満たす最大値である場合、ａ１＋１はｃｏｎｄｉｔｉｏｎを満たさなくてもよい。
【０１３４】
【数１８】
2020025217.tif 000020
【０１３５】
不等式を満たす最大値を決定する方法は、不等式の変数を変更しながら得られる値の中で最大値を決めてもよい。例えば、数式１７においてＮ’Ｒｅｐの最大値を決定する方法は、数式１９、および、数式２０で示す不等式を同時に満たす方法であってもよい。例えば、端末装置１は、数式１９、および、数式２０で示す不等式を同時に満たすＮ’ＲｅｐをＮ’Ｒｅｐの最大値として決定してもよい。つまり、端末装置１は、Ｎ’ＲｅｐとＮ’Ｒｅｐ＋１で不等号の向きが変わるようなＮ’Ｒｅｐの値を該不等式におけるＮ’Ｒｅｐの最大値として決定してもよい。
【０１３６】
【数１９】
2020025217.tif 000021
【０１３７】
【数２０】
2020025217.tif 000022
【０１３８】
端末装置１は数式２１、数式２２、数式２３、数式２４、数式２５、数式２６、数式２７、数式２８、数式２９、数式３０、数式３１、または、数式３２で示す不等式を満たすＮ’Ｒｅｐを決定してもよい。端末装置１は数式２１、数式２２、数式２３、数式２４、数式２５、数式２６、数式２７、数式２８、数式２９、数式３０、数式３１、または、数式３２で示す不等式を満たす最大のＮ’Ｒｅｐを決定してもよい。ここでｘ３は０より大きい数であってもよい。例えば、ｘ３は１であってもよいし、１０００であってもよいし
、１０２４であってもよい。
【０１３９】
【数２１】
2020025217.tif 000023
【０１４０】
【数２２】
2020025217.tif 000024
【０１４１】
【数２３】
2020025217.tif 000025
【０１４２】
【数２４】
2020025217.tif 000026
【０１４３】
【数２５】
2020025217.tif 000027
【０１４４】
【数２６】
2020025217.tif 000028
【０１４５】
【数２７】
2020025217.tif 000029
【０１４６】
【数２８】
2020025217.tif 000030
【０１４７】
【数２９】
2020025217.tif 000031
【０１４８】
【数３０】
2020025217.tif 000032
【０１４９】
【数３１】
2020025217.tif 000033
【０１５０】
【数３２】
2020025217.tif 000034
【０１５１】
なお、数式２１、数式２２、数式２３、数式２４、数式２５、数式２６、数式２７、数式２８、数式２９、数式３０、数式３１、または、数式３２はそれぞれ、数式１８においてＮ’Ｒｅｐの最大値を求めるためのｃｏｎｄｉｔｉｏｎとして入力されてもよい。
【０１５２】
また、数式２１、数式２２、数式２３、数式２４、数式２５、数式２６、数式２７、数式２８、数式２９、数式３０、数式３１、または、数式３２のそれぞれにおいて、Ｎ’ＲｅｐとＮ’Ｒｅｐ＋１で不等号の向きが変わる（Ｎ’ＲｅｐとＮ’Ｒｅｐ＋１で各式の不等号の関係が逆転する、および／または、左辺と右辺のそれぞれで得られる値の大きさがＮ’ＲｅｐとＮ’Ｒｅｐ＋１で逆転する）場合には、端末装置１は、該Ｎ’Ｒｅｐの値をＮ’Ｒｅｐの最大値として決定してもよい。
【０１５３】
ｃＭＣＳはＤＣＩフォーマットに含まれるＭＣＳインデックスが示す値Ｃｍｃｓを１０２４で割ることによって与えられてもよい。すなわち、ＣｍｃｓはターゲットコードレートｃＭＣＳと１０２４の積として定義されてもよい。ＣｍｃｓはターゲットコードレートｃＭＣＳと１０２４の積として定義される整数の値であってもよい。Ｃｍｃｓが整数の値であったとしてもｃＭＣＳは小数になる。したがって、端末装置１と基地局装置３の小数点計算能力によって、端末装置１におけるｃＭＣＳの値が基地局装置３におけるｃＭＣＳの値と異なる可能性がある。
【０１５４】
そこで、数式２１、数式２２、数式２３、数式２４、数式２５、数式２６、数式２７、数式２８、数式２９、または、数式３０のそれぞれにおいて、ｘ３は１０２４であってもよいし、ｃＭＣＳ・ｘ３はＣｍｃｓに置き換えられてもよい。
【０１５５】
図８は、本実施形態におけるＤＣＩフォーマットに少なくとも基づいて与えられるＣｍｃｓの候補の一例を示す図である。図８において、端末装置１はＤＣＩフォーマットに含まれるＭＣＳインデックスに対応する値をＣｍｃｓに設定してもよい。例えば、ＤＣＩフォーマットに含まれるＭＣＳインデックスが５の場合、端末装置１はＣｍｃｓを３７９に設定してもよい。
【０１５６】
これにより、端末装置１と基地局装置３は、数式２１、数式２２、数式２３、数式２４、数式２５、数式２６、数式２７、数式２８、数式２９、または、数式３０のそれぞれにおいて、小数であるｃＭＣＳを計算する必要がなくなり、端末装置１と基地局装置３の小数点計算能力によって、端末装置１におけるｃＭＣＳの値が基地局装置３におけるｃＭＣＳの値と異なる可能性がなくなる。
【０１５７】
以下、本実施形態における、端末装置１および基地局装置３の種々の態様について説明する。
【０１５８】
（１）本実施形態の第１の態様は、端末装置であって、端末装置の能力情報および／ま
たはＰＵＳＣＨを送信する送信部を備え、前記ＰＵＳＣＨに多重されるＣＳＩ−Ｐａｒｔ２のコードレートが前記ＣＳＩ−Ｐａｒｔ２のターゲットコードレートと同じまたは低くなるまで前記ＣＳＩ−Ｐａｒｔ２のドロッピングを行い、前記ＣＳＩ−Ｐａｒｔ２のコードレートを前記端末装置の能力情報においてサポートされる小数点以下の計算能力に基づいて決定する。
【０１５９】
（２）本実施形態の第２の態様は、基地局装置であって、端末装置の能力情報および／またはＰＵＳＣＨを受信する受信部を備え、前記ＰＵＳＣＨに多重されるＣＳＩ−Ｐａｒｔ２のコードレートが前記ＣＳＩ−Ｐａｒｔ２のターゲットコードレートと同じまたは低くなるまで前記ＣＳＩ−Ｐａｒｔ２のドロッピングが行われたと想定し、前記端末装置の能力情報に基づいて前記コードレートおよび前記ターゲットコードレートに関わる小数点以下の桁数を考慮して比較する。
【０１６０】
これにより、端末装置１と基地局装置３は効率的に通信を行うことができる。
【０１６１】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であってもよい。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１６２】
尚、上述した実施形態における端末装置１、基地局装置３の一部、をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０１６３】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１６４】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０１６５】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１６６】
また、上述した実施形態における基地局装置３は、ＥＵＴＲＡＮ（Evolved Universal 
Terrestrial Radio Access Network）であってもよい。また、上述した実施形態における基地局装置３は、ｅＮｏｄｅＢに対する上位ノードの機能の一部または全部を有してもよい。
【０１６７】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いることも可能である。
【０１６８】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１６９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１７０】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2020025217.tif 000035
【図２】
2020025217.tif 000036
【図３】
2020025217.tif 000037
【図４】
2020025217.tif 000038
【図５】
2020025217.tif 000039
【図６】
2020025217.tif 000040
【図７】
2020025217.tif 000041
【図８】
2020025217.tif 000042